(57)【要約】【課題】冷凍室の扉の近くの空間を有効活用できる冷蔵庫を提供する。【解決手段】実施形態の冷蔵庫は、冷凍室内に収納容器が収納された冷蔵庫において、収納物を収納可能な収納具が前記収納容器の前壁に沿って設けられたことを特徴とする。【選択図】図８
2020169749.tif 000002
【特許請求の範囲】
【請求項１】
貯蔵室内に収納容器が収納された冷蔵庫において、
収納物を収納可能な収納具が前記収納容器の前壁に沿って設けられたことを特徴とする、冷蔵庫。
【請求項２】
前記貯蔵室を開閉する扉の庫内側に凹部が形成され、前記凹部に少なくとも一部が収まるように前記収納具が設けられた、請求項１に記載の冷蔵庫。
【請求項３】
前記収納具が開閉可能な第１部材及び第２部材を有し、前記第１部材と前記第２部材との間に収納物が収納可能である、請求項１又は２に記載の冷蔵庫。
【請求項４】
前記第１部材が前記貯蔵室を開閉する扉又は前記収納容器の前記前壁に対して固定された、請求項３に記載の冷蔵庫。
【請求項５】
記前記第１部材と前第２部材とが連結部で連結されている、請求項３又は４に記載の冷蔵庫。
【請求項６】
前記第１部材と前記第２部材とが、所定角度開いたときに分離可能である、請求項５に記載の冷蔵庫。
【請求項７】
不凍液が充填された不凍液袋が、前記第１部材及び前記第２部材の少なくとも一方に収納され、
前記連結部の反対側の場所において、前記第１部材及び前記第２部材のうち前記不凍液袋が収納されている方の部材と、前記不凍液袋との間に空間がある、請求項５又は６に記載の冷蔵庫。
【請求項８】
前記空間が前記不凍液袋の前後方向にあり、
前記空間の前後方向の広さが前記連結部から離れるに従い広くなる、請求項７に記載の冷蔵庫。
【請求項９】
不凍液が充填された不凍液袋が、前記第１部材及び前記第２部材の少なくとも一方に収納され、
前記収納具における重力のかかる方向と反対方向の場所において、前記第１部材及び前記第２部材のうち前記不凍液袋が収納されている方の部材と、前記不凍液袋との間に空間がある、
請求項３〜６のいずれか１項に記載の冷蔵庫。
【請求項１０】
前記空間が前記不凍液袋の前後方向にあり、
前記空間の前後方向の広さが、前記凍結装置における重力のかかる方向と反対方向に向かうに従い広くなる、請求項９に記載の冷蔵庫。
【請求項１１】
前記空間の前後方向の広さが段階的に広くなり、前記空間における前後方向に狭い方の領域を前後方向から見たときの面積が、前記空間における前後方向に広い方の領域を前後方向から見たときの面積より広い、請求項８又は１０に記載の冷蔵庫。
【請求項１２】
不凍液が充填された不凍液袋が、前記第１部材及び前記第２部材の少なくとも一方に収納され、
前記不凍液袋を押す押圧機構が設けられた、請求項３〜６のいずれか１項に記載の冷蔵庫。
【請求項１３】
前記第１部材及び前記第２部材のうち庫内側の部材に前記不凍液袋が収納され、前記不凍液袋の庫内側の場所に前記押圧機構が設けられた、請求項１２に記載の冷蔵庫。
【発明の詳細な説明】
【技術分野】
【０００１】
本発明の実施形態は冷蔵庫に関する。
【背景技術】
【０００２】
一般に、冷蔵庫の冷凍室には引き出し式の収納容器が収納されており、使用者が冷凍室を開閉する扉を引くと扉と収納容器とが一体となって引き出される構造となっている。
【０００３】
ところで、冷凍庫に収納物を収納する際に収納容器の奥から順に収納物を入れていく使用者が存在する。収納物がそのように収納されると、収納容器内の扉の近くの空間が有効活用されないという問題があった。また、冷凍室を開閉する扉の庫内側には大きな凹部が形成されている場合があり（例えば特許文献１の図２参照）、このような凹部の内側の空間が有効活用されていなかった。
【先行技術文献】
【特許文献】
【０００４】
【特許文献１】特開２０１４−２３８２３８号公報
【発明の概要】
【発明が解決しようとする課題】
【０００５】
本発明は、これらの実情に鑑みてなされたものであり、冷凍室の扉の近くの空間を有効活用できる冷蔵庫を提供することを課題とする。
【課題を解決するための手段】
【０００６】
実施形態の冷蔵庫は、冷凍室内に収納容器が収納された冷蔵庫において、収納物を収納可能な収納具が前記収納容器の前壁に沿って設けられたことを特徴とする。
【図面の簡単な説明】
【０００７】
【図１】実施形態の冷蔵庫の前後方向の断面図。
【図２】実施形態の冷蔵庫の正面図。
【図３】実施形態の冷蔵庫のブロック図。
【図４】実施形態の冷凍室の前後方向の断面図。凍結装置が設けられていないときの図。
【図５】実施形態の冷凍室扉を斜め後方から見た斜視図。なお図５、図６及び図８ではガスケットを図示省略してある。
【図６】実施形態の冷凍室扉及び収納容器を斜め後方から見た斜視図。凍結装置が設けられていないときの図。
【図７】実施形態の冷凍室の前後方向の断面図。凍結装置が設けられているときの図。
【図８】実施形態の冷凍室扉及び収納容器を斜め後方から見た斜視図。凍結装置が設けられているときの図。
【図９】実施形態の凍結装置を斜め前方から見た斜視図。
【図１０】実施形態の凍結装置を斜め後方から見た斜視図。
【図１１】実施形態の凍結装置の前後方向の断面図。図９のＡ−Ａ線での断面図。
【図１２】開いた状態の凍結装置を内側から見た図。
【図１３】図１２の右側部分の分解斜視図。
【図１４】図１２のＢ−Ｂ線での断面図。
【図１５】第２箱状部材を前方から見た図。
【図１６】第２固定部材を前方から見た図。
【図１７】第１部材に空間形成部が無い場合の凍結装置の前後方向の断面図。
【図１８】第１ヒンジ部材の斜視図。
【図１９】第２ヒンジ部材の斜視図。
【図２０】第１ヒンジ部材と第２ヒンジ部材とが組み合わさった状態でのヒンジの斜視図。
【図２１】第１部材と第２部材が開いた状態を示す図。
【図２２】収納物が収納されたときの凍結装置を示す図。
【図２３】大きな収納物が収納されたときの凍結装置を示す図。
【図２４】変更例１の冷凍室の前後方向の断面図。
【図２５】変更例５の凍結装置の斜視図。
【図２６】変更例５の凍結装置の上下方向の断面図。
【図２７】変更例６の凍結装置の斜視図。
【図２８】変更例６の凍結装置の上下方向の断面図。
【図２９】変更例７の凍結装置の斜視図。
【図３０】変更例７の凍結装置の水平方向の断面図。
【図３１】変更例７の他の凍結装置の上下方向の断面図。
【図３２】変更例８の収納具の斜視図。
【発明を実施するための形態】
【０００８】
実施形態の冷蔵庫について図面に基づき説明する。なお、以下の実施形態は例示であり、発明の範囲はこれに限定されない。以下の実施形態に対し、発明の要旨を逸脱しない範囲で様々な省略、置換、変更を行うことができる。以下の実施形態やその変形は、特許請求の範囲に記載された発明とその均等の範囲に含まれるものである。
【０００９】
以下の説明において、冷蔵庫の扉の開く方向を前の方向、その反対方向すなわち扉の閉じる方向を後ろの方向とする。また、冷蔵庫の使用者（以下、単に「使用者」と言う）が冷蔵庫の正面（扉の前）に立って冷蔵庫を見たときの左右を、以下の説明における左右とする。
【００１０】
１．冷蔵庫の全体構造
図１及び図２に実施形態の冷蔵庫１０を示す。冷蔵庫１０の本体１２は、冷蔵庫１０の外郭を形成する外箱と、貯蔵室が形成された内箱とが組み合わされ、外箱と内箱との間に断熱材が充填されて構成されている。
【００１１】
本体１２は上下仕切壁１４によって上下に仕切られている。上下仕切壁１４の上部は冷蔵温度（収納物を冷蔵保存するための温度で、例えば１〜４℃）に維持される冷蔵空間である。また上下仕切壁１４の下部は冷凍温度（収納物を冷凍保存するための温度で、例えば−２２〜−１８℃）に維持される冷凍空間である。冷蔵空間及び冷凍空間はそれぞれ食品や飲料等の収納物を収納する空間である。
【００１２】
冷蔵空間には上から順に貯蔵室としての冷蔵室２０及び野菜室２２が設けられている。冷蔵室２０には複数の載置棚やチルド室２４が設けられている。また野菜室２２には引出式の野菜容器が収納されている。冷蔵室２０は観音式の左右一対の冷蔵室扉２１で開閉される。また、野菜室２２は引き出し式の野菜室扉２３で開閉される。
【００１３】
冷凍空間の上部には貯蔵室としての製氷室とその隣の小冷凍室２６とが設けられている。また、冷凍空間の下部には貯蔵室としての冷凍室２８が設けられている。製氷室及び小冷凍室２６にはそれぞれ引き出し式の収納容器が収納されている。また、冷凍室２８にも引き出し式の収納容器１８が収納されている。冷凍室２８における収納容器１８の上には、収納容器１８に対して前後方向に移動可能な小収納容器１５が載っている。
【００１４】
また、冷凍室２８の内部には、収納容器１８の前壁８０に沿って、凍結装置４０が配置されている。凍結装置４０は収納物を収納するための収納具の一種である。
【００１５】
図１及び図２に示すように、製氷室は引き出し式の製氷室扉２５で開閉され、小冷凍室２６は引き出し式の小冷凍室扉２７で開閉され、冷凍室２８は引き出し式の冷凍室扉２９で開閉される。
【００１６】
冷蔵空間の後ろには、第１冷却器３０と、第１冷却器３０の近くに配置された第１送風装置３１と、第１冷却器３０から上方へ向かって延びるダクト３２とが設けられている。また、冷蔵空間とダクト３２とを隔てる壁には冷気の吹出口３３が形成されている。また、冷蔵空間の後壁には第１冷却器３０へ通じる冷気の吸込口３４が形成されている。第１冷却器３０で冷気が発生するとともに第１送風装置３１が稼動することにより、冷気がダクト３２を通って吹出口３３から冷蔵空間へ吹き出て、冷蔵空間を循環する。冷蔵空間を循環した冷気は吸込口３４から第１冷却器３０へ向かって吸い込まれる。このように冷気が循環することにより冷蔵空間が冷蔵温度に冷却される。
【００１７】
また、冷凍空間の背後には、第２冷却器３５と、第２冷却器３５の近くに配置された第２送風装置３６とが設けられている。また、冷凍空間の後壁にはそれぞれ第２冷却器３５へ通じる冷気の吹出口３７及び吸込口３８が形成されている。第２冷却器３５で冷気が発生するとともに第２送風装置３６が稼動することにより、冷気が吹出口３７から冷凍空間へ吹き出て、冷凍空間を循環する。冷凍空間を循環した冷気は吸込口３８から第２冷却器３５へ向かって吸い込まれる。このように冷気が循環することにより冷凍空間が冷凍温度に冷却される。
【００１８】
本体１２の後方下部には機械室１６が設けられている。機械室１６には、第１冷却器３０及び第２冷却器３５へ流れる冷媒を圧縮する圧縮機１７や、圧縮機１７等とともに冷凍サイクルを構成する不図示の凝縮器等が配置されている。
【００１９】
また、冷蔵庫１０には制御装置１１が設けられている。図３に示すように、制御装置１１には、圧縮機１７、第１送風装置３１、第２送風装置３６その他の貯蔵室の温度制御のための機器が電気的に接続されている。制御装置１１はこれらの接続されている機器等を制御する。
【００２０】
２．冷凍室の構造
図４に示すように、冷凍室扉２９は、冷凍室扉２９の庫外側の面を形成する庫外側部材６５と、冷凍室扉２９の庫内側の面を形成する庫内側部材６６と、庫外側部材６５と庫内側部材６６との間に充填された断熱材とを有している。さらに、冷凍室扉２９は、その縁近傍において庫内側部材６６から後方に向かって突出したスロート部材６８を有している。図５に示すように、スロート部材６８は、冷凍室扉２９を後方から見たときの四辺のうち、左右及び下の辺に沿って設けられている。
【００２１】
また、図２及び図４に示すように、庫外側部材６５の上部には左右方向に延びる取手用凹部７０が形成されており、その取手用凹部７０の上部を塞ぐように取手７１が設けられている。取手７１は使用者が冷凍室扉２９を引き出すときに手を掛けるところである。
【００２２】
図４に示すように、冷凍室扉２９における取手用凹部７０の裏側の場所では、庫内側部材６６に、後方へ突出する凸部７２が形成されている。図５に示すように、凸部７２は、冷凍室扉２９の上の辺に沿って左右に延び、その左右両端部が左右のスロート部材６８に連結されている。その結果、冷凍室扉２９の上の辺に沿った凸部７２と、左右及び下の辺に沿ったスロート部材６８とにより、冷凍室扉２９の庫内側に凹部７４が形成されている。また、凸部７２には、凸部７２の突出の頂部７３（すなわち後方の頂部）と凹部７４の底面７５とを連結する下向き傾斜面７６が形成されている。
【００２３】
また、凸部７２及びスロート部材６８によって囲まれた領域内の左右両側には、凹部７４の底面７５よりも後方（庫内側）へ向かって高くなった庫内側段部５４が形成されている。
【００２４】
さらに、冷凍室扉２９の庫内側には、冷凍室扉２９を後方から見たときの四辺に沿ってガスケット６９が設けられている。図４に示すように、ガスケット６９は、スロート部材６８及び凸部７２より冷凍室扉２９の縁側の場所に設けられている。冷凍室扉２９が閉じると、スロート部材６８及び凸部７２が冷凍室２８内に侵入し、ガスケット６９が冷凍室２８の開口端に密着し、冷凍室２８が密閉される。
【００２５】
冷凍室２８の収納容器１８と冷凍室扉２９とは、一体となって引き出し可能となっている。そのための構造として従来周知の構造が適用可能である。具体例としては、図６に示すように、冷凍室扉２９の庫内側の左右両側の庫内側段部５４からそれぞれ後方へ向かって、前後方向に長い受け部材６０が延びている。また、冷凍室２８の左右の内壁のうち受け部材６０と対向する場所には、前後方向へ延びるレール溝６１が設けられている（図１参照）。使用者が冷凍室扉２９を引くと、受け部材６０がレール溝６１内を前方へ滑りながら移動し、冷凍室扉２９と受け部材６０が一体となって引き出される。
【００２６】
また、収納容器１８は、左右両側の受け部材６０に跨がって載っている。又は、収納容器１８は、上記の受け部材６０又は冷凍室扉２９にネジ等により固定されている。そのため、冷凍室扉２９及び受け部材６０が引き出されると、それらと一体となって収納容器１８も引き出される。収納容器１８と冷凍室扉２９との位置関係は固定されている。
【００２７】
図６に示すように収納容器１８は箱状の容器である。収納容器１８の前方の壁部である前壁８０における左右方向の中央部分は、収納容器１８の外側から見て、前方へ向かって突出した前方突出壁部８１となっている（収納容器１８の内側から見れば、前方へ向かって凹んだ凹部となっている）。前方突出壁部８１は左右両側の庫内側段部５４の間に入り込んでいる。
【００２８】
図４及び図６に示すように、前方突出壁部８１の高さは、冷凍室扉２９の庫内側の凸部７２の下向き傾斜面７６より低くなっている。そして、前方突出壁部８１は、冷凍室扉２９の凹部７４の底面７５に近接している。なお、前方突出壁部８１が凹部７４の底面７５に接触していても良い。いずれにしても、収納容器１８の前方突出壁部８１は、冷凍室扉２９における凸部７２の下の凹部７４に入り込んでいる。また、前方突出壁部８１は収納容器１８における周囲の壁部より低くなっている。
【００２９】
このような前方突出壁部８１により、収納容器１８内の前方に、前方に突出した前方収納領域８３が形成されている。前方収納領域８３は冷凍室扉２９の凸部７２の下側になる。そのため、冷凍室２８において後方から前方へ流れて来た冷気が、凸部７２の下向き傾斜面７６に当たり、前方収納領域８３の方へ流れることになる。
【００３０】
また、図６に示すように、収納容器１８の前方収納領域８３の底部には上方へ向かって突出した突起８２が設けられている。この突起８２は次に説明する凍結装置４０の固定に使用される。
【００３１】
図７及び図８に示すように、収納容器１８内の前方収納領域８３には、収納容器１８の前壁８０の一部である前方突出壁部８１に沿う形で、凍結装置４０が配置されている。そのため、凍結装置４０の少なくとも一部は前方収納領域８３に収まっている。また、凍結装置４０の少なくとも一部は、冷凍室扉２９の庫内側の凹部７４に入っていることにもなる。なお凍結装置４０は冷凍室扉２９に沿って設けられているとも言える。
【００３２】
なお、ある物Ａが別の物Ｂに沿うとは、ＡがＢから離れないようにＢに対して平行又は平行に近い状態で配置されることを意味する。ＡがＢに沿うと言うとき、ＡとＢとが接触していても良いし、ＡとＢとの間に空間が空いていたり別の物が存在したりしていても良い。ＡがＢに沿うと言うとき、ＡとＢとの間に、Ａ及びＢのうち厚い方の厚みと同等の間隔があることが許容され、その間隔の場所に別の物が存在することも許容される。
【００３３】
また、凍結装置４０は冷凍室扉２９の凸部７２よりも低い位置にある。そのため、後方から前方へ流れて来て凸部７２の下向き傾斜面７６に当たった冷気が、下方の凍結装置４０に当たることになる。
【００３４】
３．凍結装置の構造
凍結装置４０を図９〜図１４等に示す。凍結装置４０は不凍液１９を用いて収納物４２を急速に冷却し凍結する装置である。ここで、不凍液１９とは冷凍温度においても凍結せずに流動性を保つ液体のことである。また、凍結装置４０に収納される収納物４２として、例えば、肉、魚介類、加工食品、野菜、果物等の食品が挙げられる。
【００３５】
図１１及び図１２に示すように、凍結装置４０は、前側（すなわち冷凍室扉２９側）の第１部材４４と、後ろ側（すなわち庫内側）の第２部材４５とが、連結部としてのヒンジ４６で連結された構造の外殻容器を備えている。
【００３６】
図１１に示すように、第１部材４４は、前後方向の厚みが薄く後方への開口部を有する第１箱状部材５５と、第１箱状部材５５に後方（開口部側）から被さった第１固定部材５６とからなる。図１１及び図１２に示すように、第１固定部材５６は、中央に第１箱状部材５５の後方開口部より若干小さい開口部４７を有している。この開口部４７が第１部材４４の後方開口部でもある。第１固定部材５６は爪、ネジ、接着テープ等の固定手段で第１箱状部材５５に固定されている。
【００３７】
また、図１１及び図１３に示すように、第２部材４５は、前後方向の厚みが薄く前方への開口部を有する第２箱状部材５７と、第２箱状部材５７に前方（開口部側）から被さった第２固定部材５８とからなる。第２固定部材５８は、中央に第２箱状部材５７の前方開口部より若干小さい開口部７７を有している。この開口部７７が第２部材４５の前方開口部でもある。第２固定部材５８は爪、ネジ、接着テープ等の固定手段で第２箱状部材５７に固定されている。
【００３８】
外殻容器を構成するこれらの部材は、例えば、合成樹脂、合成樹脂に熱伝導性フィラー（例えばアルミナや窒化ホウ素等）が含有された材料、又は熱伝導率が高い金属（例えば、アルミニウム又は熱伝導率がアルミニウムよりも高い金属）で出来ている。
【００３９】
第１部材４４と第２部材４５とはヒンジ４６を軸として開閉可能である。本実施形態では、ヒンジ４６が第１部材４４及び第２部材４５の下部にあるものとする。そのため、第１部材４４と第２部材４５とは上部で開閉される。
【００４０】
なお、「第１部材４４と第２部材４５とが開閉する」ことを「外殻容器が開閉する」と表現することがある。また、「第１部材４４と第２部材４５が閉じる」又は「外殻容器が閉じる」とは、第２部材４５の前方開口端と第１部材４４の後方開口端とが接触又は最大限接近することを意味する。
【００４１】
閉じた状態での外殻容器の最も厚い位置での厚み（すなわち前後方向の長さ）は、限定されないが、一例としては外殻容器の上下及び左右の長さのうち短い方の１／３以下である。
【００４２】
図１１に示すように、第１部材４４の内側には、前後方向に直行する広い平面を有する扁平な蓄冷剤５０が配置されている。蓄冷剤５０は、例えば、薬剤（例えば水と高分子とを含む薬剤）が扁平容器に充填されて凍結されたもので、前記薬剤が融解するときに生じる潜熱により周囲のものを冷却するものである。
【００４３】
蓄冷剤５０の後方には、第１部材４４の後方への開口部４７を塞ぐように、金属板５１が配置されている。金属板５１はアルミニウム又は熱伝導率がアルミニウムよりも高い金属（例えば銅）で出来ていることが好ましい。金属板５１は第１固定部材５６に前方から接触している。金属板５１は第１固定部材５６の後方への開口部４７より若干面積が広い。そのため金属板５１は第１固定部材５６より後方へは外れない。
【００４４】
一方、第２部材４５の内側には不凍液袋５２が収納されている。不凍液袋５２の内部には不凍液１９が充填されている。不凍液袋５２は、前後方向から見て第２部材４５の内側にちょうど収まる程度の大きさを有している。
【００４５】
図１３及び図１４に示すように、不凍液袋５２を前後方向から見たときの外周部（四辺の部分）のうちの一部（例えば、四辺のうちの対向する左右の２辺の部分）には、耳部５３が形成されている。耳部５３は、不凍液袋５２を構成する伸縮性薄膜が外方へ延長されて出来ている。この耳部５３が第２箱状部材５７と第２固定部材５８との間に挟まれることにより、不凍液袋５２が第２部材４５の内側に固定されている。
【００４６】
より詳細には、第２箱状部材５７を前後方向から見たときの外周部（四辺の部分）のうちの一部（例えば、図１５に示すように四辺のうちの対向する２辺の部分）には、外方へ延長された板状の保持板４８が設けられている。また、第２固定部材５８を前後方向から見たときの外周部（四辺の部分）のうちの一部（例えば、図１６に示すように四辺のうちの対向する２辺の部分）にも、外方へ延長された板状の保持板４９が設けられている。そして、保持板４８、４９の間に不凍液袋５２の耳部５３が挟まれている。さらに、保持板４８、４９にカバー３９が覆い被さり、保持板４８、４９が耳部５３から離れることを防いでいる。
【００４７】
なお、第１箱状部材５５及び第１固定部材５６にもそれぞれ上記の保持板４８、４９と同様の保持板が設けられている。そして、それらの保持板に、上記のカバー３９と同様のカバー３９が覆い被さっている。それにより、第１箱状部材５５と第１固定部材５６とがより強固に固定されている。
【００４８】
不凍液袋５２は不凍液１９を透過させない伸縮性薄膜からなる。また、不凍液袋５２は、高伸縮性、高回復性及び高い突き刺し強度を有する伸縮性薄膜からなることが好ましい。具体的には、不凍液袋５２は、後述するように収納物４２が押し付けられたときに収納物４２の外形にほぼ一致するように伸縮して変形できる伸縮性と、収納物４２から離れたときに元の形状に戻ることができる回復性と、収納物４２の角部が押し付けられたときに破れない程度の突き刺し強度とを有することが好ましい。突き刺し強度に関しては、５Ｎ以上が好ましく、１０Ｎ以上がさらに好ましい。また、不凍液袋５２の不凍液透過性は１０ｇ／（ｍ２・ｄａｙ）以下が好ましい。
【００４９】
そして、不凍液袋５２を構成する伸縮性薄膜は、不凍液袋５２の上記各性質を実現できるものであることが好ましい。そのような伸縮性薄膜の材質として、例えば、ＥＶＡ（エチレン−酢酸ビニル共重合体樹脂）、ポリイソプレンゴム又はナイロンが挙げられる。不凍液袋５２はこのような伸縮性薄膜に表面コーティング（例えばアルミニウム蒸着）が施されたものであっても良い。
【００５０】
不凍液袋５２の内部の不凍液１９は、冷凍温度においてスラリー状又はシャーベット状であることが好ましい。スラリー状又はシャーベット状の不凍液１９の冷凍温度における粘度は、１５Ｐａ・ｓ以上１５０Ｐａ・ｓ以下が好ましく、５０Ｐａ・ｓ以上６０Ｐａ・ｓ以下がさらに好ましい。
【００５１】
また、不凍液１９は人が口から摂取可能な無害物質であることが好ましい。不凍液１９として使用可能な無害物質として、例えば、エタノールをベースとし食品添加物が添加されたもの、プロピレングリコールをベースとし食品添加物が添加されたもの、塩化ナトリウム水溶液、又は植物油が挙げられる。また、不凍液１９は着色されたものであることが好ましい。不凍液１９が着色されている場合、不凍液１９の色は不凍液袋５２の色と異なることが好ましい。
【００５２】
不凍液１９は、冷凍温度においてスラリー状又はシャーベット状であること、無害物質であること、及び着色されたものであることのうち２つ以上の性質を有することが好ましく、３つの性質全てを有することがさらに好ましい。
【００５３】
以上の構造の凍結装置４０において、収納物４２は、第１部材４４側の金属板５１と、第２部材４５側の不凍液袋５２との間に挟まれることとなる。
【００５４】
図１１に示すように、第２部材４５におけるヒンジ４６と反対側の場所（ヒンジ４６から遠い場所）には空間形成部８４が形成されている。空間形成部８４が形成されている具体的場所は、一例としては、第２部材４５の上下方向の中央位置より上側の場所である。この空間形成部８４は、金属板５１と不凍液袋５２との間に収納物４２が挟まれて不凍液袋５２が押されたときの、不凍液１９の逃げ場となる空間を形成する部分である。
【００５５】
この空間形成部８４は、第２部材４５を内側から見たときの凹部として形成されているまた、この空間形成部８４は、第２部材４５を外側から見たときには、凸部として形成されている。凹部としての空間形成部８４は、ヒンジ４６から離れるに従い段階的に深くなっている。具体例としては、図１１及び図１３に示すように、空間形成部８４は２段階で深くなっており、浅い第１段階部８５と深い第２段階部８６とからなる。そして第２段階部８６の方がヒンジ４６から離れている。好ましい一例としては、図１１に示すように第１段階部８５が第２段階部８６よりも上下に広く、図１５に示すように第１段階部８５が第２段階部８６よりも前後方向から見たときの面積が広い。
【００５６】
なお、空間形成部８４はさらに多くの段階（深さの異なる部分）に分かれていても良い。また、空間形成部８４の深さは、段階的に深くなるのではなく、１つの傾斜面によって、ヒンジ４６から離れるに従い連続的に深くなっていても良い。
【００５７】
このような空間形成部８４が存在するため、図１１に示すように、第２部材４５と不凍液袋５２との間に容器内空間８７が形成されている。容器内空間８７は、不凍液袋５２の後方にあり、ヒンジ４６から離れるに従い段階的に広くなっている。すなわち、容器内空間８７は、第１段階部８５と不凍液袋５２との間の第１容器内空間８８と、第２段階部８６と不凍液袋５２との間の第２容器内空間８９とからなる。そして、第１容器内空間８８と第２容器内空間８９とは連続しており、第２容器内空間８９の方がヒンジ４６から離れている。
【００５８】
ここで、上記のように空間形成部８４において第１段階部８５が浅く第２段階部８６が深いため、容器内空間８７において、第１容器内空間８８の方が前後方向に狭く、第２容器内空間８９の方が前後方向に広い。また、上記のように第１段階部８５が第２段階部８６よりも前後方向から見たときの面積が広い場合は、第１容器内空間８８が第２容器内空間８９よりも上下に広く、第１容器内空間８８が第２容器内空間８９よりも前後方向から見たときの面積が広いこととなる。
【００５９】
図１１に示すように、本実施形態では、第１部材４４にも、第２部材４５と同様の、浅い第１段階部６３と深い第２段階部６４とからなる空間形成部６７が形成されている。この空間形成部６７は、本実施形態を変更して、第１部材４４と第２部材４５との両方に不凍液袋５２を収納したり、第１部材４４に不凍液袋５２を収納し第２部材４５に蓄冷剤５０及び金属板５１を収納したりする場合に、不凍液１９の逃げ場として使用できる。なお、第１部材４４に不凍液袋５２が収納される場合、不凍液袋５２の前方に容器内空間が形成されることとなる。
【００６０】
このように本実施形態では第１部材４４にも空間形成部６７が形成されているが、第１部材４４に不凍液袋５２を収納する可能性が無い場合は空間形成部６７は必ずしも必要ではない。その場合、図１７に示すように第１部材４４に空間形成部６７が形成されておらず第１部材４４の前方の面が平坦になっていても良い。
【００６１】
また、ヒンジ４６は、第１部材４４と第２部材４５とが所定角度（例えば１８０℃以上の所定角度）開いたときに、第１部材４４と第２部材４５とが分離可能な構造のものが好ましい。図１８〜図２０に、そのようなヒンジ４６の詳細な構造の一例を示す。
【００６２】
このヒンジ４６は、第１固定部材５６の下端部に設けられている第１ヒンジ部材９０と、第２固定部材５８の下端部に設けられている第２ヒンジ部材９１とが組み合わさって形成されている。
【００６３】
図１８に示すように、第１ヒンジ部材９０は、第１固定部材５６の下端部から下方へ突出させて設けられた円形部９２を有している。円形部９２は左右方向（ヒンジ軸方向）から見てほぼ円形であるが、一部に円周を切り欠いた形の切欠き９３が形成されている。さらに、第１ヒンジ部材９０は、円形部９２からヒンジ軸方向の一方へ向かって延びる軸部９４を有している。
【００６４】
また、図１９に示すように、第２ヒンジ部材９１は、第２固定部材５８の下端部から下方へ突出させて設けられた円形部９５を有している。円形部９５は左右方向（ヒンジ軸方向）から見てほぼ円形である。この円形部９５の中心に孔９６が形成されている。また、第２ヒンジ部材９１は、円形部９５の円周面からヒンジ軸方向の他方（前記の軸部９４の延びる方向とは逆方向）に向かって延びる腕部９７と、腕部９７の先端に設けられた止め部９８とを有している。止め部９８は円形部９５の中心の孔９６とヒンジ軸方向に一致している。
【００６５】
そして、第１ヒンジ部材９０の軸部９４が、第２ヒンジ部材９１の孔９６に挿入されることにより、図２０に示すように第１ヒンジ部材９０と第２ヒンジ部材９１とが組み合わさっている。第１ヒンジ部材９０と第２ヒンジ部材９１とが組み合わさっているとき、第２ヒンジ部材９１における円形部９５と止め部９８との間に第１ヒンジ部材９０の円形部９２が嵌まっており、それにより第１ヒンジ部材９０と第２ヒンジ部材９１とが外れないようになっている。
【００６６】
しかし、使用者が第１部材４４と第２部材４５とを所定角度開くと、第１ヒンジ部材９０の円形部９２の切欠き９３と第２ヒンジ部材９１の止め部９８とがヒンジ軸方向に一致する。その状態で、使用者が第１部材４４と第２部材４５とをヒンジ軸方向のうち前記他方（円形部９２から軸部９４が延びる方向とは逆方向）にずらすと、第２ヒンジ部材９１の止め部９８が第１ヒンジ部材９０の切欠き９３を通過するとともに、第２ヒンジ部材９１の孔９６から第１ヒンジ部材９０の軸部９４が抜ける。そしてそれにより第１部材４４と第２部材４５とが分離される。
【００６７】
このような構造により、第１部材４４と第２部材４５とが分離可能となっている。
【００６８】
凍結装置４０の外側について見ると、図９及び図１１に示すように、第１部材４４の外面の上部にはフック７８が設けられている。また、第１部材４４の下部には、上方へ向かって凹んだ凹溝７９が形成されている。フック７８が収納容器１８の前壁８０の上端部に掛かり、凹溝７９に収納容器１８の下部の突起８２（図４及び図６参照）が入り込むことにより、第１部材４４が収納容器１８に固定されている。そしてそれにより、凍結装置４０が収納容器１８の前壁８０に固定されている。
【００６９】
ただし、使用者は、フック７８を収納容器１８の前壁８０から外して凍結装置４０を上方へ引き抜くことにより、容易に凍結装置４０を収納容器１８の外へ取り出すことができる。
【００７０】
また、上記のような構造のため、金属板５１を保持している第１部材４４が収納容器１８の前壁８０に固定されたままの状態で、不凍液袋５２が収納されている第２部材４５を後方へ倒して外殻容器を開閉することができる。
【００７１】
また、第１部材４４及び第２部材４５には、外殻容器を閉状態に保持するためのロック部材が設けられている。図１１に示すように、本実施形態ではロック部材の一例として、第１部材４４の上部に掛け止め部４３が設けられ、さらに、第２部材４５の上部に引っ掛け爪４１が設けられている。そして、引っ掛け爪４１が掛け止め部４３に引っ掛かることにより、第１部材４４の上部と第２部材４５の上部とが固定され、外殻容器が閉状態に保持される。使用者は、引っ掛け爪４１を操作することにより、外殻容器を閉状態に保持するようにロックをかけたり、そのロックを解除したりすることができる。
【００７２】
また、第１部材４４及び第２部材４５の外面には多数のフィン５９が設けられている。これにより、凍結装置４０に収納された収納物４２の熱が不凍液１９を介してフィン５９から放熱され、収納物４２の冷却速度が速まる。
【００７３】
第２部材４５の外面のフィン５９は、図１０及び図１１に示すように、空間形成部８４の外面側にはなく、空間形成部８４より下方の場所の外面側に設けられている。そのため、図１１に示すように、第２部材４５と不凍液袋５２とが常に近接している所の外側にフィン５９があることになる（なお第２部材４５と不凍液袋５２とが接触していても良い）。同様に、第１部材４４の外面のフィン５９も、空間形成部６７の外面側にはなく、空間形成部６７より下方の場所の外面側に設けられている。
【００７４】
４．凍結装置の使用方法
まず、凍結装置４０があらかじめ冷凍室２８の収納容器１８の前方収納領域８３に収納されているものとする。そのため不凍液１９は冷凍温度又はその付近の温度にまで下がっている。このとき、凍結装置４０の第１部材４４が収納容器１８の前壁８０に固定されている。
【００７５】
使用者が冷凍室扉２９を前方に引いて冷凍室２８を開けると、冷凍室２８の外部から凍結装置４０を視認することができる。凍結装置４０が収納容器１８の前壁８０（厳密には前壁８０の一部である前方突出壁部８１）に沿って設けられているため、使用者は冷凍室扉２９を少し引くたけで凍結装置４０を視認でき、凍結装置４０に収納物４２を収納するための操作を開始することができる。
【００７６】
凍結装置４０に収納物４２を収納する方法として２つの例を紹介する。収納方法の１つ目の例としては、まず、使用者は、収納容器１８の前壁８０に凍結装置４０の第１部材４４が固定された状態のまま、凍結装置４０の引っ掛け爪４１を掛け止め部４３から外して、第２部材４５を後方へ向かって移動させて倒して、外殻容器を開く。図２１は、第２部材４５を後方へ倒して外殻容器を開いたときの様子を示している。次に使用者は、第１部材４４側の金属板５１と第２部材４５側の不凍液袋５２との間に収納物４２を配置する。次に使用者は、第２部材４５を前方へ向かって移動させて外殻容器を閉じ、引っ掛け爪４１を掛け止め部４３に掛けてロックする。
【００７７】
収納方法の２つ目の例としては、まず、使用者は、凍結装置４０を収納容器１８の前壁８０から外して庫外へ取り出す。次に使用者は、１つ目の例のときと同様にして、外殻容器を開いて金属板５１と不凍液袋５２との間に収納物４２を入れ、その後外殻容器を閉じてロックする。次に使用者は、凍結装置４０を収納容器１８の元の場所に戻す。
【００７８】
これら２つの例のようにして凍結装置４０の金属板５１と不凍液袋５２との間に収納物４２が入れられると、不凍液袋５２が収納物４２の形に沿うように変形して収納物４２の後方部分に密着する。なお「密着」には、収納物４２と不凍液袋５２との間に空気が全く存在しない状態だけでなく、収納物４２と不凍液袋５２との間に若干の空気が存在する状態も含まれる。
【００７９】
凍結装置４０の金属板５１と不凍液袋５２との間に収納物４２が入ると、図２２及び図２３に示すように、収納物４２に押された不凍液１９が上方（外殻容器におけるヒンジ４６と反対方向）へ移動し、外殻容器内の容器内空間８７へ入り込む。すなわち、不凍液袋５２が変形して容器内空間８７へ向かって膨出する。
【００８０】
収納物４２が一般的な大きさの場合、図２２に示すように、収納物４２に押された不凍液１９は容器内空間８７における下側（ヒンジ４６に近い側）の第１容器内空間８８に入り込む。しかし、収納物４２が大きい場合は、図２３に示すように、収納物４２に押された不凍液１９は、第１容器内空間８８だけでなくその上側（ヒンジ４６から遠い側）の第２容器内空間８９にまで入り込む。
【００８１】
なお、収納物４２がさらに大きく、金属板５１と不凍液袋５２との間に収納物４２を入れると外殻容器を閉じることができなくなる場合は、使用者は、第１部材４４と第２部材４５とを所定角度だけ開いて第１部材４４と第２部材４５とを分離する。そして使用者は、分離した第１部材４４と第２部材４５との間に収納物４２を挟み込む。それにより、収納物４２の前方部分には金属板５１が当たり、収納物４２の後方部分には不凍液袋５２が密着する。使用者は、分離した第１部材４４と第２部材４５とで収納物４２を挟む場合、第１部材４４、収納物４２及び第２部材４５を結束バンド等で１つに束ねても良い。
【００８２】
使用者は、凍結装置４０に収納物４２を収納した後、冷凍室２８を閉じる。閉じられた冷凍室２８の内部で収納物４２が凍結される。
【００８３】
具体的には、凍結装置４０において、不凍液袋５２が収納物４２の形に沿うように変形して収納物４２の後方部分に密着しているので、収納物４２の後方部分が不凍液袋５２を介して不凍液１９に囲まれていることとなる。その結果、収納物４２の後方部分において不凍液１９との間で熱交換がなされ、収納物４２が急速に冷却される。もちろん、収納物４２と金属板５１との間でも熱交換がなされる。このようにして冷却された場合、凍結装置４０が用いられず収納物４２が冷凍室２８に直接入れられた場合よりも、収納物４２の冷却速度が速い。
【００８４】
その後、収納物４２が金属板５１と不凍液袋５２との間に挟まれてからある程度時間が経過すると、収納物４２が不凍液１９と同等の温度にまで下がる。収納物４２は不凍液１９と同等の温度になるまでに凍結される。上記のように本実施形態では収納物４２の冷却速度が速いため、収納物４２が凍結されるまでに要する時間も短い。
【００８５】
使用者は、収納物４２を凍結装置４０から取り出すときは、収納したときと同様にして外殻容器を開けて収納物４２を取り出す。使用者が収納物４２を凍結装置４０から取り出すと、不凍液袋５２が元の形に回復する。このように、使用者が収納物４２を入れたり出したりするたびに、不凍液袋５２は変形と回復を繰り返すことができる。
【００８６】
なお、使用者は、収納物４２が収納された凍結装置４０を庫外で持ち運んだり庫外に放置したりすることもできる。
【００８７】
５．実施形態の効果
本実施形態の冷蔵庫１０では、収納具としての凍結装置４０が収納容器１８の前壁８０に沿って設けられているため、冷凍室扉２９の近くの空間が有効活用されている。
【００８８】
また、本実施形態では冷凍室扉２９の庫内側に凹部７４が形成されているが、その凹部７４内に収納容器１８の前方収納領域８３が入り込み、その前方収納領域８３に収納具としての凍結装置４０の少なくとも一部が配置されている。そのため、冷凍室扉２９の庫内側の凹部７４が有効活用されている。
【００８９】
また、本実施形態では冷凍室扉２９の庫内側の凸部７２の下向き傾斜面７６の下に前方収納領域８３が設けられているため、冷凍室２８において後方から前方へ流れて来た冷気が、凸部７２の下向き傾斜面７６に当たり、前方収納領域８３へ流れることになる。そのため、前方収納領域８３に配置された収納具としての凍結装置４０が急速に冷却される。
【００９０】
また本実施形態では、第１部材４４と第２部材４５とが開閉可能に設けられ、第１部材４４が収納容器１８の前壁８０に対して固定されている。そのため、使用者は、第１部材４４が収納容器１８の前壁８０に固定されたままの状態で、第２部材４５を後方に倒して外殻容器を開閉することができる。
【００９１】
ここで、収納容器１８の前壁８０に対する第１部材４４の固定にはフック７８が使用されているため、使用者が凍結装置４０を収納容器１８の前壁８０から容易に取り外すことができる。凍結装置４０を容易に取り外すことができるため、使用者は、凍結装置４０に収納物４２を収納するときに凍結装置４０を庫外に出して収納作業をすることができる。また、使用者は、凍結装置４０をテーブル等に置いておいたり持ち歩いたりすることができる。
【００９２】
また本実施形態では、第１部材４４と第２部材４５とがヒンジ４６で連結されているため、第１部材４４と第２部材４５とを容易に開閉することができる。また、このヒンジ４６は所定角度開いたときに分離可能であるため、収納物４２が大きい場合には、第１部材４４と第２部材４５とを分離し、第１部材４４と第２部材４５とで収納物４２を挟み込むという使用方法が可能である。
【００９３】
また本実施形態では、収納具として凍結装置４０が使用され、収納された収納物４２が不凍液袋５２と金属板５１とにより挟まれる。そのため、収納物４２と不凍液袋５２内の不凍液１９との間で熱交換が行われ、収納物４２が急速に冷却され、短時間で凍結される。また、収納物４２と金属板５１との間でも熱交換が行われるが、金属板５１の裏側（前方）に冷却された蓄冷剤５０が配置されているため、収納物４２の熱が金属板５１からも多く奪われて収納物４２が急速に冷却される。
【００９４】
ここで、不凍液袋５２が高伸縮性を有する伸縮性薄膜からなるものであれば、不凍液袋５２が収納物４２に密着することができるので、収納物４２の冷却効率が良い。また、不凍液袋５２が高回復性を有する伸縮性薄膜からなるものであれば、不凍液袋５２が多数回の使用にも耐えられる。また、不凍液袋５２が高い突き刺し強度を有する伸縮性薄膜からなり、その突き刺し強度が例えば５Ｎ以上又は１０Ｎ以上であれば、収納物４２が角部を有していても不凍液袋５２が破れにくい。
【００９５】
また、不凍液袋５２内の不凍液１９が冷凍温度においてスラリー状又はシャーベット状であれば、不凍液１９と収納物４２との熱交換が促進される。特に、スラリー状又はシャーベット状の不凍液１９の冷凍温度における粘度が１５Ｐａ・ｓ以上１５０Ｐａ・ｓ以下であれば熱交換がより促進され、５０Ｐａ・ｓ以上６０Ｐａ・ｓ以下であれば熱交換がさらに促進される。
【００９６】
また本実施形態では、不凍液袋５２と第２部材４５との間に容器内空間８７が形成されているため、凍結装置４０に収納物４２が収納されたときに、収納物４２に押された不凍液袋５２内の不凍液１９が容器内空間８７へ逃げることができる。ここで、容器内空間８７が第２部材４５におけるヒンジ４６と反対側の場所に形成されているため、第１部材４４と第２部材４５とが閉じられていくに従い、徐々に不凍液１９が容器内空間８７へ逃げていくことができる。
【００９７】
また、容器内空間８７が第２部材４５における上方（すなわち重力のかかる方向の反対方向）の場所に形成されているため、不凍液袋５２が収納物４２に押されて不凍液１９に高い圧力がかかったときに初めて、不凍液１９が容器内空間８７へ逃げていくことになる。そして、不凍液１９が容器内空間８７へ逃げることにより、不凍液１９にかかった高い圧力が開放される。そのため、不凍液１９にかかる圧力が一定に保たれ、ひいては収納物４２にかかる圧力が一定に保たれる。また、容器内空間８７が第２部材４５における上方の場所に形成され、不凍液袋５２が収納物４２に押されてて初めて不凍液１９が容器内空間８７へ逃げるため、収納物４２が収納されていない場合に不凍液袋５２が重力により変形することを防ぐことができる。
【００９８】
ここで上記のように、容器内空間８７の前後方向の広さが、ヒンジ４６から離れるに従い広くなり、また上方（すなわち重力のかかる方向と反対方向）に向かうに従い広くなる。そのため、容器内空間８７の前後方向の広さが全体的に広い場合と比較して、収納物４２が小さい場合の不凍液袋５２の変形が最小限に抑えられる。
【００９９】
また上記のように、容器内空間８７の前後方向の広さが段階的に広くなり、容器内空間８７における下方の第１容器内空間８８と、容器内空間８７における上方の第２容器内空間８９とが形成されている。そして、第１容器内空間８８は前後方向に狭く、第２容器内空間８９は前後方向に広くなっている。
【０１００】
そのため、比較的小さな収納物４２が収納されたときは収納物４２に押された不凍液１９が前後方向に狭い第１容器内空間８８にのみ逃げることとなる。その結果、不凍液袋５２が大きくは変形せず、不凍液１９から収納物４２へある程度大きい圧力がかかり、不凍液袋５２が収納物４２に密着することができる。また、比較的大きな収納物４２が収納されたときは収納物４２に押された不凍液１９の逃げ場が第１容器内空間８８だけでは足りないが、前後方向に広い第２容器内空間８９が存在するので、その第２容器内空間８９へ十分多くの不凍液１９を逃がすことができる。
【０１０１】
ここで、前後方向に狭い第１容器内空間８８を前後方向から見たときの面積が、前後方向に広い第２容器内空間８９を前後方向から見たときの面積より広い。そのため、通常は不凍液１９を第１容器内空間８８のみに逃がして収納物４２に高い圧力がかかるようにし、通常より大きな収納物４２が収納され第１容器内空間８８では対応できないときのみ不凍液１９を第２容器内空間８９にまで逃がすという逃がし方を実現できる。
【０１０２】
また上記のように、凍結装置４０が、蓄冷剤５０及び金属板５１が設けられた第１部材４４が前側（すなわち冷凍室扉２９側）で、不凍液袋５２が収納された第２部材４５が後ろ側（すなわち庫内側）になるように配置されている。そのため、容器内空間８７を形成するための第２部材４５の空間形成部８４は、冷凍室扉２９側ではなく庫内側に向かって突出した凸部となっている。そのため、後方に突出している空間形成部８４の下方に物を収納することができ、空間形成部８４の下方の空間が無駄にならない。
【０１０３】
また、第２部材４５の外面のフィン５９が、空間形成部８４より下方の、第２部材４５と不凍液袋５２とが常に近接している所の外側に設けられているため、不凍液１９の熱が放熱されやすい。また、前後方向に突出している空間形成部８４の外側にはフィン５９がないため、凍結装置４０がコンパクトになっている。
【０１０４】
６．変更例
上記の実施形態の変更例を説明する。上記の実施形態に対して、以下に説明する複数の変更例のうちいずれか１つを適用しても良いし、以下に説明する変更例のうちいずれか２つ以上を組み合わせて適用しても良い。また、以下の変更例の他にも様々な変更が可能である。なお、変更例を示す図では、上記実施形態と同様のものには、上記実施形態と同じ符号が付されている。
【０１０５】
（１）変更例１
凍結装置４０のような収納具は、収納容器１８の前壁８０に沿って設けられていれば良く、必ずしも上記実施形態のように収納容器１８内に設けられていなくても良い。
【０１０６】
例えば図２４に示すように、収納容器１８の前壁８０と冷凍室扉２９との間に、凍結装置４０の厚みより広い隙間が形成され、その隙間に凍結装置４０が設けられていても良い。その場合、凍結装置４０は、上記の実施形態におけるフック７８のような部材で、収納容器１８の前壁８０又は冷凍室扉２９の庫内側の面に固定されていても良い。
【０１０７】
（２）変更例２
収納容器１８の形状は上記実施形態のものに限定されない。例えば、上記実施形態では収納容器１８の前壁８０に前方突出壁部８１が形成されていたが、前壁にこのような前方突出壁部が形成されておらず、収納容器の前壁全体が平坦な１枚の板状であっても良い。そのような前壁に沿って収納具が設けられていれば良い。
【０１０８】
（３）変更例３
凍結装置は、不凍液１９を用いて収納物４２を急速に冷却し凍結する装置であれば良く、その具体的構造は上記実施形態の構造に限定されない。
【０１０９】
例えば、上記の実施形態における第１部材４４及び第２部材４５の両方に不凍液袋５２が収納され、前後両側の不凍液袋５２で収納物４２を挟む凍結装置でも良い。
【０１１０】
また、上記実施形態では、蓄冷剤５０及び金属板５１が設けられた第１部材４４が前側（すなわち冷凍室扉２９側）で、不凍液袋５２が収納された第２部材４５が後ろ側（すなわち庫内側）となっていたが、その逆であっても良い。すなわち、蓄冷剤５０及び金属板５１が設けられた第１部材４４が後ろ側で、不凍液袋５２が収納された第２部材４５が前側となっていても良い。
【０１１１】
（４）変更例４
上記の実施形態では第１部材４４と第２部材４５とを開閉可能に連結するヒンジ４６が外殻容器の下部に設けられていたが、ヒンジの場所は下部に限定されない。例えば、外殻容器の左右のいずれか一方の部分にヒンジが設けられ、その反対側において第１部材と第２部材とが開閉可能となっていても良い。
【０１１２】
第１部材と第２部材とを開閉可能に連結するヒンジが外殻容器における下部以外の部分に設けられ、第１部材と第２部材の少なくとも一方に不凍液袋が収納されている場合も、上記実施形態の空間形成部８４と同様の空間形成部が不凍液袋の前後方向の場所に形成されていることが好ましい。
【０１１３】
このような場合の空間形成部の場所として、２つの場所が考えられる。１つ目の場所は、外殻容器におけるヒンジと反対側の場所（ヒンジから遠い場所）である。例えば、ヒンジが外殻容器の左側の端部に設けられている場合は、空間形成部が外殻容器の右側の場所に形成される。この場合、空間形成部の前後方向の広さがヒンジから離れるに従い広くなることが好ましく、上記実施形態のように段階的に広くなることがより好ましい。また、空間形成部の前後方向の広さ段階的に広くなる場合は、空間形成部における前後方向に狭い方の領域が、前後方向に広い方の領域より、前後方向から見たときの面積が広いことが好ましい。
【０１１４】
空間形成部がヒンジから遠い場所にあることにより、第１部材と第２部材とが閉じられていくに従い、徐々に不凍液が空間形成部の内側に逃げていくことになる。
【０１１５】
２つ目の場所は、外殻容器における上方（すなわち重力のかかる方向の反対方向）の場所である。例えば、ヒンジが外殻容器の左側の端部に設けられ、空間形成部が外殻容器の上方の場所に形成される。この場合、空間形成部の前後方向の広さが上方ほど広くなることが好ましく、上記実施形態のように段階的に広くなることがより好ましい。また、空間形成部の前後方向の広さ段階的に広くなる場合は、空間形成部における前後方向に狭い方の領域が、前後方向に広い方の領域より、前後方向から見たときの面積が広いことが好ましい。
【０１１６】
空間形成部が外殻容器における上方にあることにより、不凍液袋が重力によって変形することを防ぐことができ、不凍液袋の変形を最小限に抑えることができる。
【０１１７】
また、第１部材と第２部材とがヒンジ以外の連結部により連結されていても良い。
【０１１８】
（５）変更例５
収納具としての凍結装置が、開閉可能な第１部材と第２部材とを有し、不凍液が充填された不凍液袋が第１部材及び第２部材の少なくとも一方に収納されている場合において、不凍液袋を押す押圧機構が設けられていても良い。押圧機構が設けられた凍結装置の一例について図２５及び図２６に基づき説明する。
【０１１９】
この変更例の凍結装置１４０では、上記実施形態と同様に前方の第１部材１４４に蓄冷剤５０及び金属板１５１が保持され、後方の第２部材１４５に不凍液袋５２が収納されているものとする。ただし、第１部材１４４には、蓄冷剤５０及び金属板１５１ではなく、不凍液袋５２が収納されていても良い。
【０１２０】
第２部材１４５は前後方向に厚みがあり、第２部材１４５内の前方領域に不凍液袋５２が収納されている。そして、不凍液袋５２の後方の面に、前後方向に可動な板状部材１４８が密着している。そして、第２部材１４５内の後方領域に、板状部材１４８を前方へ押すことにより不凍液袋５２を前方へ押す押圧機構が収納されている。
【０１２１】
押圧機構は、その一部として、歯切りされた左右に延びる板状部材であるラック１０１と、ラック１０１の歯に噛み合う第１歯車１０２とからなるラック・アンド・ピニオンを有している。ラック１０１は左右方向へスライド可能なスライドバー１０３と一体化されている。図２５及び図２６に示すように、第２部材１４５の後部には外部へ通じる窓１０４が形成されており、この窓１０４を通じて凍結装置１４０の外部からスライドバー１０３を左右方向へスライド操作可能となっている。
【０１２２】
第１歯車１０２は上下方向の回転軸の周りで回転する歯車で、左右方向の回転軸の周りで回転する第２歯車１０５と噛み合っている。この第２歯車１０５に、第２歯車１０５の周方向（より具体的な例としては図示するように下方）へ延びる押圧部材としての押圧棒１０６が固定されている。そして、押圧棒１０６の先端が、板状部材１４８に接触している。
【０１２３】
使用者がスライドバー１０３を左右にスライドさせると、スライドバー１０３と共にラック１０１が移動し、ラック１０１と噛み合っている第１歯車１０２が回転し、第１歯車１０２と噛み合っている第２歯車１０５が回転し、押圧棒１０６の先端が前後方向に動く。それにより、押圧棒１０６が板状部材１４８を前方へ押したり板状部材１４８から離れたりする。押圧棒１０６が板状部材１４８を前方へ押すと、不凍液袋５２が板状部材１４８により前方へ押されることとなる。
【０１２４】
このような構造のため、使用者は、凍結装置１４０に収納物４２を収納した後、スライドバー１０３を操作して不凍液袋５２を前方へ押し、不凍液袋５２を収納物４２に密着させることができる。
【０１２５】
なお、第２部材１４５内には、上記実施形態における容器内空間８７のような不凍液１９の逃げ場が設けられていても良い。例えば、板状部材１４８の一部が変形し、上記実施形態における空間形成部８４と同様の形状になっていても良い。
【０１２６】
また、押圧棒１０６が板状部材１４８を介さず不凍液袋５２を直接押す構造になっていても良い。
【０１２７】
（６）変更例６
押圧機構が設けられた凍結装置の別の例について図２７及び図２８に基づき説明する。
【０１２８】
この変更例の凍結装置２４０では、上記実施形態と同様に前方の第１部材２４４に蓄冷剤５０及び金属板２５１が保持され、後方の第２部材２４５に不凍液袋５２が収納されているものとする。ただし、第１部材２４４には、蓄冷剤５０及び金属板２５１ではなく、不凍液袋５２が収納されていても良い。
【０１２９】
第２部材２４５は前後方向に厚みがあり、第２部材２４５内の前方領域に不凍液袋５２が収納されている。そして、不凍液袋５２の後方の面に、前後方向に可動な板状部材２４８が密着している。そして、第２部材２４５内の後方領域に、板状部材２４８を前方へ押すことにより不凍液袋５２を前方へ押す押圧機構が収納されている。
【０１３０】
押圧機構は、その一部として、左右方向の回転軸の周りで回転する歯車２０５と、歯車２０５の回転を止める歯止め２０１とからなるラチェットを有している。このラチェットにおいては、歯車２０５が一方向（順方向）へのみ回転でき、逆方向への回転は歯車２０５に噛み合う歯止め２０１によって阻害されている。しかし、後述する解除ボタン２０３が押されると歯止め２０１が歯車２０５から外れ、歯車２０５が逆方向へ回転できる。
【０１３１】
歯車２０５には、歯車２０５の周方向（より具体的な例としては図示するように下方）へ延びる押圧部材２０６が固定されている。そして、押圧部材２０６の先端が、板状部材２４８に接触している。第２部材２４５の後部には外部へ通じる窓２０４が形成されており、この窓２０４を通じて使用者が押圧部材２０６を前方へ押すことができるようになっている。押圧部材２０６が前方へ押されるとき、ラチェットの歯車２０５が順方向へ回転する。また、押圧部材２０６が後方へ移動するとき、ラチェットの歯車２０５が逆方向へ回転する。
【０１３２】
また、歯止め２０１には上記の解除ボタン２０３が取り付けられている。第２部材２４５の上部には外部へ通じる窓２０２が形成されており、この窓２０２を通じて凍結装置２４０の外部から解除ボタン２０３を押すことができるようになっている。解除ボタン２０３が押されている間は歯車２０５が逆方向へ回転でき、押圧部材２０６が押された方向と逆方向へ移動できる。
【０１３３】
使用者が窓２０４の外側から押圧部材２０６を前方へ押すと、ラチェットの歯車２０５が順方向へ回転しながら押圧部材２０６の先端が前方へ動き、押圧部材２０６が板状部材２４８を押す。押圧部材２０６が板状部材２４８を前方へ押すと、不凍液袋５２が板状部材２４８により前方へ押されることとなる。使用者が押圧部材２０６を押すのを止めると、押圧部材２０６がその位置で停止する。
【０１３４】
また、使用者が解除ボタン２０３を押すと、不凍液袋５２の圧力によって板状部材２４８が後方へ移動し、押圧部材２０６が元の位置に戻る。
【０１３５】
このような構造のため、使用者は、凍結装置２４０に収納物４２を収納した後、押圧部材２０６を押すことによって不凍液袋５２を前方へ押し、不凍液袋５２を収納物４２に密着させることができる。
【０１３６】
なお、第２部材２４５内には、上記実施形態における容器内空間８７のような不凍液１９の逃げ場が設けられていても良い。例えば、板状部材２４８の一部が変形し、上記実施形態における空間形成部８４と同様の形状になっていても良い。
【０１３７】
また、押圧部材２０６が板状部材２４８を介さず不凍液袋５２を直接押す構造になっていても良い。
【０１３８】
（７）変更例７
押圧機構が設けられた凍結装置のさらに別の例について図２９及び図３０に基づき説明する。
【０１３９】
この変更例の凍結装置３４０では、上記実施形態と同様に前方の第１部材３４４に蓄冷剤５０及び金属板３５１が保持され、後方の第２部材３４５に不凍液袋５２が収納されているものとする。ただし、第１部材３４４には、蓄冷剤５０及び金属板３５１ではなく、不凍液袋５２が収納されていても良い。
【０１４０】
第２部材３４５は前後方向に厚みがあり、第２部材３４５内の前方領域に不凍液袋５２が収納されている。そして、不凍液袋５２の後方の面に、前後方向に可動な板状部材３４８が密着している。そして、第２部材３４５内の後方領域に、板状部材３４８を前方へ押すことにより不凍液袋５２を前方へ押す押圧機構が収納されている。
【０１４１】
押圧機構の一部として、第２部材３４５の後部に四角形の窓が設けられている。この窓は後方へ突出した４つの窓枠３０４から形成されている。対向する２つの窓枠３０４の内側には複数の歯３０１が前後方向に並んでいる。
【０１４２】
この窓枠３０４の内側にはつまみ部材３０２が設けられている。つまみ部材３０２は、中央のつまみ３０５と、つまみ３０５の両側の係合部３０６とが一体化された部材である。係合部３０６は、窓枠３０４の歯３０１と歯３０１との間に入り込む部分である。詳細には、つまみ部材３０２は弾性を有する１枚の板が折り曲げられて形成されている。そして、中央のつまみ３０５は、板がＶ字形に折り曲げられて形成されている。
【０１４３】
使用者がつまみ３０５をつまむと、つまみ３０５が幅の狭いＶ字形になるよう変形し、それに伴って係合部３０６がつまみ３０５側に引き寄せられて窓枠３０４の歯３０１と歯３０１との間から抜ける。係合部３０６が歯３０１と歯３０１との間から抜けると、つまみ部材３０２は前後に移動可能となる。一方、使用者がつまみ３０５を離すと、つまみ３０５が幅の広いＶ字形になるよう変形し、それに伴って係合部３０６が窓枠３０４の歯３０１と歯３０１との間に入る。係合部３０６が歯３０１と歯３０１との間に入ると、つまみ部材３０２は前後に移動できなくなる。
【０１４４】
つまみ部材３０２の前方には押圧部材３０７が設けられている。この押圧部材３０７は板状部材３４８に接触している。押圧部材３０７は、つまみ部材３０２と一体となって前後へ移動し、板状部材３４８を前方へ押したり板状部材３４８から離れたりする。
【０１４５】
このような構造のため、使用者は、凍結装置３４０に収納物４２を収納した後、つまみ部材３０２のつまみ３０５をつまんでつまみ部材３０２及び押圧部材３０７を前方へ移動させ、板状部材３４８を介して不凍液袋５２を前方へ押すことができる。そして、不凍液袋５２を前方へ押すことにより、不凍液袋５２を収納物４２に密着させることができる。
【０１４６】
なお、第２部材３４５内には、上記実施形態における容器内空間８７のような不凍液１９の逃げ場が設けられていても良い。例えば図３１に示すように、板状部材３４９の上部が変形し、上記実施形態における空間形成部８４と同様の空間形成部３８４が形成されていても良い。
【０１４７】
また、押圧部材３０７が板状部材３４８を介さず不凍液袋５２を直接押す構造になっていても良い。
【０１４８】
（８）変更例８
収納具は、不凍液１９を使用しない容器であっても良い。
【０１４９】
例えば、第１部材４４と第２部材４５とがヒンジ４６で連結された上記実施形態の外殻容器の内部に、不凍液袋５２、蓄冷剤５０及び金属板５１が収納されておらず、空の外殻容器が収納具として使用されても良い。
【０１５０】
また図３２に示すように、収納具は、上方に開口部を有する箱状の容器４４０であっても良い。容器４４０の厚み（すなわち前後方向の長さ）は、限定されないが、一例としては容器４４０の上下及び左右の長さのうち短い方の１／３以下の厚みである。容器４４０には開閉可能な蓋が付いていても良い。
【０１５１】
このような容器４４０には、一例としては、比較的平たい収納物４２（袋入りの冷凍食品や、ファスナー付きプラスチックバッグ入りの肉等）が、縦方向に収納される。
【０１５２】
（９）変更例９
凍結装置４０等の収納具は、冷凍空間における別の場所に配置されていても良い。例えば収納具は小冷凍室２６の内部に配置されていても良い。
【０１５３】
また、冷蔵空間の例えば野菜室２２に上記実施形態の収納容器１８と同様の収納容器が収納され、その収納容器の前壁に沿って収納具が設けられていても良い。
【符号の説明】
【０１５４】
１０…冷蔵庫、１１…制御装置、１２…本体、１４…上下仕切壁、１５…小収納容器、１６…機械室、１７…圧縮機、１８…収納容器、１９…不凍液、２０…冷蔵室、２１…冷蔵室扉、２２…野菜室、２３…野菜室扉、２４…チルド室、２５…製氷室扉、２６…小冷凍室、２７…小冷凍室扉、２８…冷凍室、２９…冷凍室扉、３０…第１冷却器、３１…第１送風装置、３２…ダクト、３３…吹出口、３４…吸込口、３５…第２冷却器、３６…第２送風装置、３７…吹出口、３８…吸込口、３９…カバー、４０…凍結装置、４１…引っ掛け爪、４２…収納物、４３…掛け止め部、４４…第１部材、４５…第２部材、４６…ヒンジ、４７…開口部、４８…保持板、４９…保持板、５０…蓄冷剤、５１…金属板、５２…不凍液袋、５３…耳部、５４…庫内側段部、５５…第１箱状部材、５６…第１固定部材、５７…第２箱状部材、５８…第２固定部材、５９…フィン、６０…受け部材、６１…レール溝、６２…車輪、６３…第１段階部、６４…第２段階部、６５…庫外側部材、６６…庫内側部材、６７…空間形成部、６８…スロート部材、６９…ガスケット、７０…取手用凹部、７１…取手、７２…凸部、７３…頂部、７４…凹部、７５…底面、７６…下向き傾斜面、７７…開口部、７８…フック、７９…凹溝、８０…前壁、８１…前方突出壁部、８２…突起、８３…前方収納領域、８４…空間形成部、８５…第１段階部、８６…第２段階部、８７…容器内空間、８８…第１容器内空間、８９…第２容器内空間、９０…第１ヒンジ部材、９１…第２ヒンジ部材、９２…円形部、９３…切欠き、９４…軸部、９５…円形部、９６…孔、９７…腕部、９８…止め部、１０１…ラック、１０２…第１歯車、１０３…スライドバー、１０４…窓、１０５…第２歯車、１０６…押圧棒、１４０…凍結装置、１４４…第１部材、１４５…第２部材、１５１…金属板、１４８…板状部材、２０１…歯止め、２０２…窓、２０３…解除ボタン、２０４…窓、２０５…歯車、２０６…押圧部材、２４８…板状部材、２４０…凍結装置、２４４…第１部材、２４５…第２部材、２５１…金属板、３０１…歯、３０２…つまみ部材、３０４…窓枠、３０５…つまみ、３０６…係合部、３０７…押圧部材、３４０…凍結装置、３４４…第１部材、３４５…第２部材、３４８…板状部材、３４９…板状部材、３５１…金属板、３８４…空間形成部、４４０…容器
【図１】
2020169749.tif 000003
【図２】
2020169749.tif 000004
【図３】
2020169749.tif 000005
【図４】
2020169749.tif 000006
【図５】
2020169749.tif 000007
【図６】
2020169749.tif 000008
【図７】
2020169749.tif 000009
【図８】
2020169749.tif 000010
【図９】
2020169749.tif 000011
【図１０】
2020169749.tif 000012
【図１１】
2020169749.tif 000013
【図１２】
2020169749.tif 000014
【図１３】
2020169749.tif 000015
【図１４】
2020169749.tif 000016
【図１５】
2020169749.tif 000017
【図１６】
2020169749.tif 000018
【図１７】
2020169749.tif 000019
【図１８】
2020169749.tif 000020
【図１９】
2020169749.tif 000021
【図２０】
2020169749.tif 000022
【図２１】
2020169749.tif 000023
【図２２】
2020169749.tif 000024
【図２３】
2020169749.tif 000025
【図２４】
2020169749.tif 000026
【図２５】
2020169749.tif 000027
【図２６】
2020169749.tif 000028
【図２７】
2020169749.tif 000029
【図２８】
2020169749.tif 000030
【図２９】
2020169749.tif 000031
【図３０】
2020169749.tif 000032
【図３１】
2020169749.tif 000033
【図３２】
2020169749.tif 000034